(57)【要約】本発明は表示に関連しており、特に、本発明は使用者が一定の表示ピック・リストを形成するために一定のインデックスからデータ・ユニットを選択することにより表示される情報の順番を定めることを可能にすると共に、一定の使用者が複数のデータ・ユニットのタイプから所定のデータ・ユニットを選択することを可能にする一定の表示システム、および上記の情報を表示する一定の表示方法に関連している。
2006501573.tif 000002
【特許請求の範囲】
【請求項１】
一定の表示システムにおいて、
複数のデータのタイプを含む複数のデータ・ユニット、
前記複数のデータ・ユニットに対してアクセスを行ない、当該複数のデータ・ユニットの内の幾つかの選択情報を、単一の使用者の動作においてその使用者から、受け取る一定のセレクタ、および
前記セレクタに通信可能に接続している一定のインデクサを備えており、この場合に、このインデクサは前記使用者が選択した複数のデータ・ユニットの内の幾つかを一定の一次インデックスに索引付けして一定の表示を形成し、さらに
一定のランチャーを備えており、この場合に、前記使用者によるこのランチャーの選択により前記一次インデックスが表示の全体を通して前記使用者に対してアクセス可能な一定の最終インデックスに移行し、この場合に、前記使用者によるこのランチャーの選択により表示が実行され、さらに
表示の全体を通して前記使用者に対してアクセス可能であり複数の二次データ・ユニットを含む少なくとも１個の二次インデックスを備えており、この場合に、一定の指示装置の前記使用者による選択により、表示が前記最終インデックスから前記二次インデックスに移行し、この場合に、前記二次データ・ユニットの内の幾つかの選択により、これら二次データ・ユニットの内の選択された幾つかが前記表示に示され、この場合に、これら二次データ・ユニットの内の選択された幾つかの表示の完了時に、その表示が前記最終インデックスに復帰する表示システム。
【請求項２】
前記最終インデックスが複数のサブ−インデックスを含み、この場合に、前記少なくとも１個の二次インデックスがこれら複数のサブ−インデックスから選択される請求項１に記載の表示システム。
【請求項３】
前記表示の全体における最終インデックスに対するアクセスの可能性がその表示における一定の分割型スクリーンを含む請求項１に記載の表示システム。
【請求項４】
前記二次インデックスが前記最終インデックスからの開始点に対する一定の開始の基準点を含む請求項１に記載の表示装置。
【請求項５】
前記セレクタが一定のプロセッサに付随するプログラム処理を含む請求項１に記載の表示システム。
【請求項６】
前記データ・ユニットのそれぞれがテキスト情報、グラフィック情報、ビデオ情報、オーディオ情報、およびこれらの組み合わせから成る群から選択される少なくとも一つを含む請求項１に記載の表示システム。
【請求項７】
さらに、表示が前記インデクサにより索引付けされた後にその表示のための記憶装置を含む請求項１に記載の表示システム。
【請求項８】
前記記憶装置が一定のキャッシュ、ラム（RAM）、ロム（ROM）、ハード・ディスク、フロッピー（登録商標）・ディスク、および遠隔記憶装置から成る群から選択される少なくとも１種類を含む請求項１に記載の表示システム。
【請求項９】
一定の表示方法において、
一定の使用者が一定の全般的なデータ・ユニットのリストにアクセスすることを認める処理、
前記使用者による前記全般的なデータ・ユニットのリストからの複数の選択情報を受け取る処理、
前記選択されたデータ・ユニットを一定の表示インデックスに索引付けする処理、
前記使用者から一定の表示の実行命令を受け取る処理、
前記実行命令の受け取りに従って表示を実行する処理、
前記表示の一定の継続時間においてその表示インデックスに対する単一の使用者の動作によりその使用者によるアクセスを行なう処理、
一定の受け取られた使用者の中止命令に従って、一定のサブ−インデックスによる二次的な表示のために前記表示インデックスの表示を一時的に中止する処理、
前記一時的に中止する処理の完了後に前記二次的な表示から前記表示に自動的に復帰する処理を含む方法。
【発明の詳細な説明】
【関連の特許出願】
【０００１】
本特許出願は２００２年９月３０日に出願されている米国仮特許出願第６０／４１５，２６０号の優先権を主張している。
【０００２】
発明の分野
本発明は表示に関連しており、特に、本発明は使用者またはユーザーが一定の表示ピック・リストを形成するために一定のインデックスからデータ・ユニットを選択することにより表示される情報の順番を定めることを可能にすると共に、一定の使用者が複数のデータ・ユニットのタイプから所定のデータ・ユニットを選択することを可能にする一定の表示システム、および上記の情報を表示する一定の表示方法に関連している。
【０００３】
発明の背景
静止した表示を発生するためのシステムが知られている。しかしながら、その表示を設定された後に、その表示されている情報の順番を変更することが困難である。例えば、この静止した表示は、その表示における要素の全体を読むことなく、あるいは、その表示の順番を変えるためにその表示から抜け出ることなく、一定の表示の間においてその表示に示されている要素を変更することを可能にしない。
【０００４】
各表示の順番付けをする処理、あるいは、順番を変える処理は種々のビデオまたはオーディオのファイルがその表示に含まれる場合に明らかに分かる。この場合に、既存の静止表示型の方法は種々のオーディオまたはビデオのファイルをその表示の中に組み込むための単純化した機構を欠いており、これらのオーディオまたはビデオのファイルを含む表示をその表示の間に変更する場合にさらに困難になる。
【０００５】
さらに、既存の静止表示型の方法は、特に種々の表示がオーディオまたはビデオのファイルを含むことが必要である場合に、これらの表示を組み立ててその順番付けをするための単純化した機構を備えていない。例えば、既存の表示は、一定の使用者がスライド表示の順番付けをするためにドラッグしてドロップできる一定のスライド・アウトライン・ビュー、一定の使用者が表示されているフォーマットの中における既存の表示を見ることができる一定スライド・ショー・ビュー等のような、表示の順番付けを行なうためにこれらの間において使用者が変更する必要のある、異なるビューを備えることができる。
【０００６】
従って、異なる視聴者に対して、あるいは、異なる理由により提供するために種々のオーディオまたはビデオの要素を含む、表示要素を使用者が極めて単純にあつらえることを可能にする一定の表示システムに対する要望が当該技術分野において依然として存在している。
【０００７】
発明の概要
本発明は一定の表示システムに関連しており、この表示システムは
複数のデータのタイプを含む複数のデータ・ユニット、
上記複数のデータ・ユニットに対してアクセスを行ない、当該複数のデータ・ユニットの内の幾つかの選択情報を、単一の使用者の動作においてその使用者から、受け取る一定のセレクタ、および
上記セレクタに通信可能に接続している一定のインデクサを備えており、この場合に、このインデクサは上記使用者が選択した複数のデータ・ユニットの内の幾つかを一定の一次インデックスに索引付けして一定の表示を形成し、さらに上記表示システムは
一定のランチャーを備えており、この場合に、上記使用者によるこのランチャーの選択により上記一次インデックスが表示の全体を通して上記使用者に対してアクセス可能な一定の最終インデックスに移行し、この場合に、上記使用者によるこのランチャーの選択により表示が実行され、さらに上記表示システムは
表示の全体を通して上記使用者に対してアクセス可能であり複数の二次データ・ユニットを含む少なくとも１個の二次インデックスを備えており、この場合に、一定の指示装置の上記使用者による選択により、表示が上記最終インデックスから上記二次インデックスに移行し、この場合に、上記二次データ・ユニットの内の幾つかの選択により、これら二次データ・ユニットの内の選択された幾つかが上記の表示に示され、この場合に、これら二次データ・ユニットの内の選択された幾つかの表示の完了時に、その表示が上記最終インデックスに復帰する。
【０００８】
本発明はさらに一定の表示方法に関連しており、この方法は
一定の使用者が一定の全般的なデータ・ユニットのリストにアクセスすることを認める処理、
上記使用者による上記の全般的なデータ・ユニットのリストからの複数の選択情報を受け取る処理、
上記の選択されたデータ・ユニットを一定の表示インデックスに索引付けする処理、
上記使用者から一定の表示の実行命令を受け取る処理、
上記実行命令の受け取りに従って表示を実行する処理、
表示の一定の継続時間においてその表示インデックスに対する単一の使用者の動作によりその使用者によるアクセスを行なう処理、
一定の受け取られた使用者の中止命令に従って、一定のサブ−インデックスによる二次的な表示のために上記表示インデックスの表示を一時的に中止する処理、
上記の一時的に中止する処理の完了後に上記の二次的な表示から上記の表示に自動的に復帰する処理を含む。
【０００９】
発明の説明
本発明の各図面および説明が本発明の一定の明解な理解に関連する種々の要素を説明するために簡単化されているが、一定の典型的な表示システムおよびその方法において見られる多くの別の要素が、明瞭化のために、排除されていることを理解すべきである。また、当業界における通常の熟練者であれば、上記の別の要素が本発明を実施するために望ましく、さらに／または、必要とされることを認識できる。しかしながら、これらの要素は当業界において十分に知られており、さらに、これらは本発明のさらに良好な理解を助長しないので、これらの要素についての論述は本明細書において行なわれていない。また、以下の開示は、当業界における熟練者において知られていて、明らかになるように、種々の表示システムおよび方法に対応する種々の形態の全ての変更例および変形例に関連している。
【００１０】
本発明は使用者が一定の表示のピック・リストを形成するために一定のインデックスからデータ・ユニットを選択することにより表示される情報の順序を定めることを可能にする一定の表示システムに関連している。また、本発明はデータ・ユニットの一定のインデックスに関連しており、このインデックスはビデオおよび／またはオーディオのデータ・ユニットの組み込みを可能にし、さらに、このインデックスは一定の使用者が、表示中等において、最初に順序付けされている表示から変更すること、および、その順序に従って、または開始の時点において、またはその開始の完了時にその表示に戻ることを可能にする。
【００１１】
図１は本発明による一定の表示システム８を示している。この表示は複数のデータ・ユニット１２に対するユーザー・アクセスを行なう一定のデータ・ユニット・セレクタ１０を含み、これらの複数のデータ・ユニットは複数のデータ・ユニットのタイプ１２ａ，１２ｂ，１２ｃを含むことができる。上記セレクタは、当業界における熟練者において明らかになるように、一定のプロセッサに付随するプログラム処理として存在できる。上記データ・ユニットは、例えば、スライドのデータ、絵画データ、動画ビデオ・データ、オーディオ・データ、テキスト・データ等から選択できる。本明細書において用いられているように、一定の「データ・ユニット（data unit）」は一定の独立している電子ファイルを意味し、それゆえ、一定のデータ・ユニットは一定のテキスト・スライドまたは一連のテキスト・スライド等のようなテキスト情報、種々のチャート、グラフ等のようなグラフィック情報、写真、ビデオ・クリップ、静止画または動画等のようなビデオ情報、音楽、ナレーション、音響効果等のようなオーディオ情報、および／またはこれらの組み合わせ物を含むことができる。例えば、一定の代表的なテータ・ユニットは単一のチャートまたは写真を含むことができ、あるいは、一定の製品の写真、これに続くその表示の主題に関連しているテキストおよびグラフィック情報、さらにこれに続く使用時の製品のビデオ・クリップ等のような一連の異なる媒体を含むことも可能である。種々のデータ・ユニットが、例えば、ワード（Word）、パワーポイント（Powerpoint）、エクセル（Excel）、マクロメディア・デイレクター（Macromedia Director）、アドーブ・フォトショップ・アンド・フォトエディット（Adobe Photoshop and Photoedit）、マイクロソフト・ムービーメーカー（Microsoft Moviemaker）、アビッド（Avid）、クイックタイム（Quicktime）、フラッシュ（Flash）、フラックス（Flax）、スイフト・３Ｄ（Swift 3D）等のような既知のソフトウエアを用いて形成できる。従って、本発明のプログラム処理は、当業界における熟練者において明らかになるように、複数のデータのタイプおよびプログラム言語を許容している。
【００１２】
上記セレクタ１０は一定のインデクサ１６に通信可能に接続しており、このインデクサ１６は選択されるデータを所定の順番に索引付けする。また、このインデクサは、当業界における熟練者において明らかになるように、一定のプロセッサに付随するプログラム処理として存在できる。例えば、一定の単一の使用者の動作によるか、その使用者のデータ・ユニットにおける単一のクリックによる等のような、一定の使用者の動作により使用者がデータ・ユニットを選択する順序でデータを表示の中に入力できる。上記インデクサは上記の選択されたデータ・ユニットを一定の順序付けしたインデックスの中に配置し、この順序付けしたインデックスは幾つかのサブ−インデックスを含むことができ、これらのサブ−インデックスは、表示中等において、使用者がそのサブ−インデックスを選択しない限り、その主体の表示の一部を形成することができない。本発明の一定の実施形態において、上記インデクサにより形成されるインデックスは、一定の分割したスクリーンの一部分において表示を明示する分割型またはフレーム型のスクリーンを備えることによるか、例えば、一定の分割型のスクリーンの中等に、そのインデックスを再現するために表示中に単一のクリックまたは単一のキーストロークを使用すること等による、一定の表示中を含む、全ての時間において使用者に対して利用可能にできる。このような一定のデータ・ユニット・インデックスを含む一定の分割型またはフレーム型のスクリーンが図２において示されている。
【００１３】
上記インデクサ１６は一定のコンテンツ・インデクサおよび一定のファイナル・インデクサを含むことができる。表示の整理中に、種々のデータ・ユニットが種々のグループに分類でき、コンテンツ・インデクサの中に整理するために選択できる。このコンテンツ・インデクサにおけるデータ・アイテムはそのアイテムを含むか排除する一定のラジオ・ボタンを伴うことができる。一定のアイテムが最終の表示のおいて含むために選択されると、これに付随しているデータ・ユニットがそのコンテンツ・インデクサにおけるインデックスのその時点におけるバージョンに従って一定の実行リストに配置される。このようにして、全ての望まれるデータが選択されて索引付けされると、実行処理によりファイナル・インデクサが活性化して、そのファイナル・インデクサにおけるインデックスに従って表示が実行できる。
【００１４】
上記表示システムはさらに一定のランチャー２０を含むことができ、このランチャー２０は、実行時において、一連のプログラムされた「ゴー・トゥ（go to）」コマンド等のようなプログラムを実行して、その実行リストの選択された順序で選択されたデータ・ユニットを表示できる。さらに、上記ランチャーは上記実行リストに従うか、例えば、表示における次のデータ・ユニットに移動するために、アップ・キーまたはダウン・キー等のような、一定のキーを使用者が押すこと等に従って、上記インデックスの全体を順序付けることができる。あるいは、使用者は元に戻ることも可能であり、一定の異なるキーを押すことによりその表示インデックスの順序を変更でき、このようなインデックスの順序の変更は一定の二次的な実行リストを形成することができ、この二次的な実行リストは表題が付けられて上記の一次的な実行リストとは別に保存されることが好ましい。さらに、この二次的な実行リストは一次的な実行リストによる開始の時点に対する一定の基準を含むことが好ましくなる可能性があり、これにより、使用者により一定の「ホット・キー（hot key）」が押される等のような、使用者による一定の復帰命令の受信時等において、上記ランチャーがその開始時点に一次的なリストに復帰することが可能になる。この結果、上記の二次的な実行リストの開始時において、上記表示システムに付随している一定のキャッシュ・メモリーの中等において、一時的な実行リストがランチャーにより容易にアクセスできる状態に維持できる。
【００１５】
上記のコンテンツ・インデクサおよびファイナル・インデクサに加えて、上記インデクサは複数のインデックス・シェル（index shell）を含むことができ、それぞれのシェルは単一のビューとして存在しており、この場合に、それぞれのシェルはそのシェルの中の表示、別のデータ・ユニットのそれぞれのインデックスおよび二次的な表示に対してアクセスを行なう。このようなインデクサは使用者が一時的な表示のシェルにおいて一定の新しい二次的なシェルを開くことを可能にすることができる。さらに、このような二次的なシェルにおいて、使用者は一定の全般的なデータ・ユニットのインデックス等から別の利用可能なデータ・ユニットに進むか、利用可能な二次的なインデックスに進み、これらの別の利用可能なデータ・ユニット、または二次的なインデックスを実行できる。さらに、これらの別のデータ・ユニット、または二次的なインデックスの実行が完了すると、上記の二次的なシェルを閉じることが可能になり、その表示が一次的なシェルに復帰可能になる。このような一次的なシェルへの復帰は上記の二次的なシェルの完了時に自動的に行なわれるか、あるいは、使用者が一定の「ホット・キー（hot key）」を押す等のような、使用者の命令において行なうことができる。
【００１６】
本発明の別の実施形態において、一定の「ホット・キー（hot key）」を用いて一定の二次的なシェル、または一定の二次的な実行リストにジャンプすることが可能である。例えば、一定の一次的なインデックスは使用者の主要な表示を含むことができるが、使用者が予想している一定の二次的な実行リスト等のような、一定の「バック・アップ（back up）」用の二次的な実行リストが表示に対するオーディエンスによる種々の質問に応じることが可能であり、所定のホット・キーを押すことにより使用者に対してアクセス可能にできる。このような二次的な実行リストの完了時に、その表示は自動的に、あるいは、使用者の命令において一次的な実行リストに復帰する。重要なことは、本発明において、複数の実行リスト、複数のインデックス、および／または、複数のシェルが連続してまたは平行に動作可能であることである。
【００１７】
図１の表示システムはさらに表示がインデクサにより索引付けされた後のその表示の保存を含む。この保存は、例えば、一定のキャッシュ、ラム（RAM）またはロム（ROM）、一定のハードまたはフロッピー（登録商標）・ディスク、例えば、インターネット等のような一定のネットワークにより上記表示システム内に接続されている一定の遠隔記憶装置等を含むことができる。
【００１８】
上記の表示は、例えば、マッキントッシュ（Macintosh）のＯＳまたはウィンドウズ（登録商標（Windows））を含むがこれらに限定されない一定の動作システムを実行する一定のＰＣにより表示できる。また、上記の表示は、例えば、一定のコンピュータ・スクリーン、マルチメディア装置、コンピュータ・ネットワーク型装置、および／またはこれらの組み合わせ物において表示可能である。さらに、適当なコンピュータ・ネットワークは、例えば、種々のクローズド・ネットワークおよびインターネットを含むことができる。
【００１９】
図３は本発明による一定の表示方法を示しているフロー図である。工程３０２において、使用者は一定の全般的なデータ・ユニットのリストに対するアクセスが認められる。次に、工程３０４において、上記データ・ユニットからの複数の選択情報が使用者から受け取られ、工程３０６において、これらの選択されたデータ・ユニットが一定の表示インデックスに索引付けされる。その後、工程３０８において、表示が一定の実行命令の受信に従って実行される。この時点において、一次的な表示３０９が使用者により表示可能になる。さらに、随意的な工程３１０において、一次的な表示が二次的な表示のために一時的に停止される。この二次的な表示は一定の受け取られる使用者の命令に従って、上記の全般的なデータ・ユニットのリスト、または一定のサブ−インデックス、または一定の二次的な実行リストからの単一の選択情報または複数の選択情報とすることができる。また、上記の随意的な工程３１０は、例えば、全般的なインデックスに対するアクセス、または所定のサブ−インデックス、または二次的な実行リストに対するアクセスを認める処理を含むことができる。さらに、随意的な工程３１２において、上記の二次的な表示および一時的な停止に続いて、使用者は上記の一次的な表示に自動的に復帰する。本発明の方法はさらに使用者が上記の一次的な表示に関連して説明されている様式に類似している一定の様式で二次的な表示を作成する幾つかの工程を含むことができる。
【００２０】
上記の説明において、本発明の一定の全体的な理解を提供するために多数の特定的な詳細が述べられている。しかしながら、本発明はこれらの特定的な詳細の内の一部を伴わずに実行することも可能である。また、別の場合において、周知の種々のプロセスの工程が本発明を不明瞭にしないために詳細に記載されていない。
【図面の簡単な説明】
【００２１】
【図１】本発明の表示システムの一定のボックス図である。
【図２】一定のデータ・ユニットのインデックスのグラフ図である。
【図３】本発明の表示方法の一定のフロー図である。
【符号の説明】
【００２２】
８  表示システム
１０  セレクタ
１２  データ・ユニット
１６  インデクサ
２０  ランチャー
【図１】
2006501573.tif 000003
【図２】
2006501573.tif 000004
【図３】
2006501573.tif 000005
【国際調査報告】
2006501573.tif 000006
2006501573.tif 000007